(57)【要約】【課題】小物収納部付き容器において、見栄え性に優れ、容器本体側の内容物に対してもキャップ体内で収納している小物先端に対しても、衛生面で清潔さを保持できるようにする。【解決手段】容器本体２とこの容器本体２の口部３に外嵌装着されるキャップ体５とを有し、キャップ体５の天井部は、中仕切り板２４とこれを覆う覆い板２６とによって上下二重に形成されていると共に、中仕切り板２４と覆い板２６との上下間に小物７を収納可能な小物収納部６が形成されており、中仕切り板２４にはその外周部を取り囲む環状壁２３が設けられていると共に、環状壁２３の略全周を介して覆い板２６が連結されており、環状壁２３に小物収納部６に対して小物７を水平方向に出し入れ自在にする収納口部３０が形成されている。【選択図】図１
2009067411.tif 000002
【特許請求の範囲】
【請求項１】
容器本体（２）とこの容器本体（２）の口部（３）に外嵌装着されるキャップ体（５）とを有し、
容器本体（２）の底部又はキャップ体（５）の天井部は、
内容物の収納スペース（２ａ）に面する中仕切り板（２４）（５３）（５５）とこの中仕切り板（２４）（５３）（５５）の外側を覆う覆い板（２６）（５１）（５６）とによって上下二重に形成されていると共にこれら中仕切り板（２４）（５３）（５５）と覆い板（２６）（５１）（５６）との上下間に小物（７）を収納可能な小物収納部（６）が形成されており、
上記中仕切り板（２４）（５３）（５５）にはその外周部を取り囲む環状壁（２３）（５２）（５７）が設けられていると共にこの環状壁（２３）（５２）（５７）の略全周を介して上記覆い板（２６）（５１）（５６）が連結されており、
上記環状壁（２３）（５２）（５７）に上記小物収納部（６）に対して小物（７）を水平方向に出し入れ自在にする収納口部（３０）が形成されている
ことを特徴とする小物収納部付き容器。
【請求項２】
容器本体（２）とこの容器本体（２）の口部（３）に外嵌装着されるキャップ体（５）とを有し、
キャップ体（５）は、
容器本体（２）の口部（３）まわりを包囲する環状壁（２３）とこの環状壁（２３）の上部を閉鎖する中仕切り板（２４）とによって形成された内殻体（２０）と、
この内殻体（２０）の環状壁（２３）を包囲する外部環状壁（２５）と内殻体（２０）の中仕切り板（２４）上を覆うと共に上記外部環状壁（２５）の上部を閉鎖する覆い板（２６）とによって形成された外殻体（２１）とを有し、
内殻体（２０）の中仕切り板（２４）と外殻体（２１）の覆い板（２６）との上下間には小物（７）を収納可能な小物収納部（６）が形成されていると共に、
内殻体（２０）の環状壁（２３）及び外殻体（２１）の外部環状壁（２５）における互いに合致する位置に上記小物収納部（６）に対して小物（７）を水平方向に出し入れ自在にする収納口部（３０）が形成されている
ことを特徴とする小物収納部付き容器。
【請求項３】
容器本体（２）とこの容器本体（２）の口部（３）に外嵌装着されるキャップ体（５）とを有し、
キャップ体（５）は、
容器本体（２）の口部（３）まわりを包囲する環状壁（５２）とこの環状壁（５２）の上部を閉鎖する中仕切り板（５３）とによって形成された殻体（５０）と、
この殻体（５０）の中仕切り板（５３）上を覆う覆い板（５１）とを有し、
殻体（５０）の中仕切り板（５３）と覆い板（５１）との上下間には小物（７）を収納可能な小物収納部（６）が形成されていると共に、
殻体（５０）の環状壁（５２）に上記小物収納部（６）に対して小物（７）を水平方向に出し入れ自在にする収納口部（３０）が形成されている
ことを特徴とする小物収納部付き容器。
【請求項４】
前記小物収納部（６）には、収納口部（３０）の片隅に揺動軸（６０）が立設されていると共に、この揺動軸（６０）まわりで水平揺動することで小物収納部（６）から出たり入ったりする小物（７）が連結されていることを特徴とする請求項１乃至請求項３のいずれか１項に記載の小物収納部付き容器。
【請求項５】
前記小物収納部（６）には、伸縮又は屈曲を伴って使用形体と収納形体とに変形可能に形成された小物（７）が収納口部（３０）内へ挿入されたときに当該小物（７）に当接して水平面内での伸縮変形又は屈曲変形を誘発させる変形誘導部（６９）（７３）が形成されていることを特徴とする請求項１乃至請求項３のいずれか１項に記載の小物収納部付き容器。
【請求項６】
前記小物収納部（６）は、小物（７）の先端から当該先端とは反対側となる後端までの長さを略収納可能な奥行きで形成されており、前記覆い板（２６）（５１）（５６）は、小物収納部（６）に収納された小物（７）の後端だけを一部露出させる程度に前記中仕切り板（２４）（５３）（５５）を覆う大きさで形成されていることを特徴とする請求項１乃至請求項５のいずれか１項に記載の小物収納部付き容器。
【発明の詳細な説明】
【技術分野】
【０００１】
本発明は、小物収納部付き容器に関するものである。
【背景技術】
【０００２】
従来の容器のなかには、容器本体の口部に外嵌装着されるキャップ体に対し、内容物（化粧品や食品など）の取り出しや取り出し後の塗布等に使用するヘラ、スプーン、ブラシ等の小物を、着脱自在な状態で具備させたものがある（例えば、特許文献１等参照）。
把持部とヘラ状部分とを有する小物を採用した一例（特許文献１の図１５参照）を概説すると、キャップ体には、その天板部の片側を凹ますように形成した階段部分が設けられ、小物の把持部は、この階段部分の凹みを満たす（埋める）ことのできる形状に形成されている。そしてキャップ体の階段部分に対し、凹みの奥方に、小物のヘラ状部分を収納する横穴が形成されたものとなっている。
【０００３】
なお、キャップ体の裏側には厚紙で形成された横壁が圧入状態で嵌め込まれており、この横壁により、容器本体内に収納された内容物がキャップ体の裏側（すなわち、小物のヘラ状部分が収納されるスペース）へ流出することがないように遮断してあった。
【特許文献１】特開２００７−２１２２９号公報（図１５及び図１６）
【発明の開示】
【発明が解決しようとする課題】
【０００４】
小物を具備した従来公知の容器にあっては、キャップ体に小物を保持させたときに、小物の把持部を露出させている場合が殆どである。すなわち、小物においてキャップ体の内部へ収納される（隠される）のは、先端部分（ヘラ状部分等）だけである。
従って、キャップ体をはじめ容器全体として、見栄え的なスッキリ感が得られない欠点があった。また、小物の把持部が露出していると、このまわりに塵埃が付着し易く、また手垢が目立つようになることから、これらの点も見栄えを低下させる一因となっていた。
更に、上記したようにキャップ体の裏側に厚紙製の横壁を設けただけの構造を採用したものでは、厚紙製の横壁に内容物が付着することに伴い、内容物が徐々に横壁に浸透するようになり、いずれはこの横壁が層間剥離や変質を起こし、場合によってはカビの発生等に至ることがあった。
【０００５】
そのため、内容物を遮断する機能が失われることになり、容器本体側の内容物に対しても、またキャップ体内で収納している小物先端（ヘラ状部分など）に対しても、不衛生となっていた。
本発明は、上記事情に鑑みてなされたものであって、見栄え性に優れ、また、容器本体側の内容物に対してもキャップ体内で収納している小物先端に対しても、衛生面で清潔さを保持できるようにした小物収納部付き容器を提供することを目的とする。
【課題を解決するための手段】
【０００６】
前記目的を達成するために、本発明は次の手段を講じた。
即ち、本発明に係る小物収納部付き容器は、容器本体とこの容器本体の口部に外嵌装着されるキャップ体とを有したものであって、容器本体の底部又はキャップ体の天井部は、内容物の収納スペースに面する中仕切り板と、この中仕切り板の外側を覆う覆い板とによって上下二重に形成されている。また、これら中仕切り板と覆い板との上下間に小物を収納可能な小物収納部が形成されている。
そして中仕切り板には、その外周部を取り囲む環状壁が設けられていると共に、この環状壁の略全周を介して覆い板が連結されている。また環状壁に、小物収納部に対して小物を水平方向に出し入れ自在にする収納口部が形成されている。
【０００７】
このような構成であると、キャップ体又は容器本体自体に、環状壁（キャップ体又は容器本体としての周壁自体である場合を含む）を伴って中仕切り板が設けられるようになっている。このような構造の中仕切り板は、厚紙製の横壁などとは異なり「小物収納部内に収納される小物を容器本体内の内容物から遮断する機能」が失われることがないものである。
そのため、この中仕切り板により、小物収納部内に収納される小物と容器本体内の内容物とが遮断される状態は確実に維持され、容器本体側の内容物も、また小物収納部内で収納している小物も、衛生面での清潔さが保持される。
【０００８】
一つの具体例としては、キャップ体は内殻体と外殻体とを有したものとすることができる。内殻体は、容器本体の口部まわりを包囲する環状壁と、この環状壁の上部を閉鎖する中仕切り板とによって形成されたものとする。また外殻体は、この内殻体の環状壁を包囲する外部環状壁と、内殻体の中仕切り板上を覆うと共に外部環状壁の上部を閉鎖する覆い板とによって形成されたものとする。
この場合は、内殻体の中仕切り板と外殻体の覆い板との上下間に、小物を収納可能な小物収納部を形成し、内殻体の環状壁及び外殻体の外部環状壁における互いに合致する位置に、小物収納部に対して小物を水平方向に出し入れ自在にする収納口部を形成すればよい。
【０００９】
また他の具体例としては、キャップ体は殻体と覆い板とを有したものとすることも可能である。殻体は、容器本体の口部まわりを包囲する環状壁と、この環状壁の上部を閉鎖する中仕切り板とによって形成されたものとする。また覆い板は、この殻体の中仕切り板上を覆うものとする。
この場合は、殻体の中仕切り板と覆い板との上下間に、小物を収納可能な小物収納部を形成し、殻体の環状壁に、小物収納部に対して小物を水平方向に出し入れ自在にする収納口部を形成すればよい。
【００１０】
なお、小物収納部には、収納口部の片隅に揺動軸が立設されていると共に、この揺動軸まわりで水平揺動することで小物収納部から出たり入ったりする小物が連結されたものとすることができる。
また別の小物収納部としては、伸縮又は屈曲を伴って使用形体と収納形体とに変形可能に形成された小物が収納口部内へ挿入されたときに、当該小物に当接して水平面内での伸縮変形又は屈曲変形を誘発させる変形誘導部が形成されているものとすることができる。
小物収納部は、小物の先端から当該先端とは反対側となる後端までの長さを略収納可能な奥行きで形成されており、且つ、覆い板は、小物収納部に収納された小物の後端だけを一部露出させる程度に、中仕切り板を覆う大きさで形成されたものとするのが好適である。
【００１１】
このようにすると、小物を目立たないように小物収納部に対して収納することができ、キャップ体としても、また容器全体としてもすっきりとした外観が得られる。また、小物に対して塵埃が付着するのを防止できると共に、手垢も目立たなくなる利点もある。
【発明の効果】
【００１２】
本発明に係る小物収納部付き容器は、見栄え性に優れ、また、容器本体側の内容物に対してもキャップ体内で収納している小物先端に対しても、衛生面で清潔さを保持できるようになる。
【発明を実施するための最良の形態】
【００１３】
以下、本発明の実施の形態を、図面に基づき説明する。
図１乃至図３は、本発明に係る小物収納部付き容器１の第１実施形態を示している。この小物収納部付き容器１は、容器本体２と、この容器本体２の口部３に外嵌装着されるキャップ体５とを有したものであって、キャップ体５の天井部に小物収納部６が設けられ、この小物収納部６に対して小物７を出し入れできるようになっている。
なお、本第１実施形態において容器本体２は背の低い（底の浅い）有底円筒状に形成され、その周壁１０の上周部に一回り径小となる段差部を形成させることで、ここに口部３を形成させたものとしてある。
【００１４】
これに対してキャップ体５は、容器本体２の口部３に外嵌した状態で容器本体２の周壁１０と略面一で連なる周壁１１（即ち、容器本体２とキャップ体５とは略同径である）を有した円盤形とされ、これら容器本体２とキャップ体５とは雄ねじ１２ａと雌ねじ１２ｂとによるネジ構造部１２により繰り返して着脱できるようになっている。
また小物７は、その先端側が扁平に形成されたヘラ状部分１５とされ、これの反対側を把持部１６として使用するものとしてある。この把持部１６の後端には、部分円弧状で上下両方へリブ状に突出した爪掛け片１７が形成されている。
【００１５】
この爪掛け片１７は、キャップ体５の周壁１１と同じ曲率半径で形成されたもので、小物収納部６に小物７が収納されたとき、キャップ体５の周壁１１と連続した円弧環状面が表現されるようになっている。
キャップ体５は、内殻体２０と、この内殻体２０に対してガタツキのない状態で全体的に外嵌されるようになった外殻体２１とを有している。これら内殻体２０と外殻体２１とは、小物収納部付き容器１としての使用状況下において互いに離反することのないように、接着、圧入嵌合などの適宜方法によって一体的な結合関係を保持している。
【００１６】
内殻体２０は、容器本体２の口部３まわりを包囲する環状壁２３と、この環状壁２３の上部を閉鎖する中仕切り板２４とによって形成されている。中仕切り板２４は、容器本体２における内容物の収納スペース（容器内部）２ａに面するように設けられていることになる。また、この中仕切り板２４の外周部を取り囲むように、環状壁２３が設けられていることになる。
外殻体２１は、内殻体２０の環状壁２３を包囲する外部環状壁２５と、この外部環状壁２５の上部を閉鎖する覆い板２６とによって形成されている。上記のように、この外殻体２１は、内殻体２０を外嵌状態にあるため、外殻体２１の覆い板２６は、内殻体２０の中仕切り板２４を覆うように設けられ、且つこの覆い板２６は、内殻体２０の環状壁２３に対して、その上周部の略全周を介して連結（本第１実施形態では接着や圧入嵌合などによって離反しない状態を言う）されていることになる。
【００１７】
これらの説明から明かなように、キャップ体５の天井部は、内殻体２０の中仕切り板２４を外殻体２１の覆い板２６が覆う上下二重構造とされ、これら中仕切り板２４と覆い板２６との上下間に小物収納部６が形成されている。
小物収納部６は、収納状態とさせた小物７に過度のガタツキが生じない程度に、当該小物７におけるヘラ状部分１５の断面形状と相似的関係となる扁平な開口形状を有して形成されている。また小物収納部６の内部には対向状に突出する係止突起２７（図３参照）が設けられており、これらの係止突起２７で小物７に適度に当接して、収納状態とさせた小物７が意に反して脱出してしまうのを防止するようになっている。
【００１８】
一方、キャップ体５の周壁１１は、内殻体２０の環状壁２３と外殻体２１の外部環状壁２５とで内外二重構造とされ、これら環状壁２３と外部環状壁２５との間で位置的に合致する状態で、小物収納部６に対して小物を水平方向に出し入れ自在にする収納口部３０が形成されている。
収納口部３０は、小物収納部６に小物７を差し込んだとき、小物７の把持部１６に設けられた爪掛け片１７が収納口部３０に丁度嵌り込んで閉鎖するように、爪掛け片１７と同形同大で形成されている。
【００１９】
外殻体２１の覆い板２６には、収納口部３０へ向かうように面取り３１が施されており、収納口部３０が爪掛け片１７で閉鎖された後も、爪掛け片１７に対して使用者が容易に爪を引っ掛けられるようになっている。
このような構成を具備して成る小物収納部付き容器１では、キャップ体５自体に、環状壁２３を伴って中仕切り板２４が設けられているので、小物収納部６内に収納される小物７を容器本体２内の内容物から遮断する機能が失われることがない。そのため、容器本体２側の内容物も、また小物収納部６内で収納している小物７も、衛生面で清潔さが保持されることになる。
【００２０】
また本第１実施形態にあって、小物収納部６に小物７を収納させたとき、小物７の把持部１６後端（爪掛け片１７の円弧状後面）だけが一部露出する状態とされているので、小物７の収納状態が目立たず、キャップ体５としても、また容器１全体としてもすっきりとした外観が得られる。また、小物７に対して塵埃が付着するのを防止できると共に、手垢も目立たなくなるといった利点があるので、見栄えは一層良好なものとなっている。
なお、小物収納部６を形成させるにあたり、キャップ体５を内殻体２０と外殻体２１との二部材で構成させるようにしているので、これら内殻体２０や外殻体２１には、それぞれ複雑な形状、構造を採用することができる。従って、デザインや機能性を重視した製品設計が可能である。しかも、このような複雑な形状、構造を採用したとしても、コスト高が招来することを抑制乃至防止できる点で、優れた利点がある。
【００２１】
図４は、本発明に係る小物収納部付き容器１の第２実施形態を示している。本第２実施形態は、小物７を、その先端側が細い丸棒状のペン状部分３４としたものである。その他の構成及び作用効果は上記第１実施形態と略同様である。
本第２実施形態において、小物７の先端側がペン状部分３４とされていることに関して、把持部１６も円柱状とされ、キャップ体５の小物収納部６や収納口部３０も円形孔として形成されている。また小物７には把持部１６寄りにネジ部３５が形成されていると共に、小物収納部６内に雌ねじ部３６が形成されて、これらの螺合によって小物７が小物収納部６に収納された状態が保持されるようになっている。
【００２２】
図５は、本発明に係る小物収納部付き容器１の第３実施形態を示している。本第３実施形態では、小物７の把持部１６寄りに板バネ状に形成された弾性ストッパ３７が設けられ、キャップ体５の小物収納部６内にはこの弾性ストッパ３７と係合可能な係合孔３８が設けられたものである。また、小物収納部６の最も奥方に、小物７が差し込まれたときにその先端部によって圧縮される飛び出しバネ３９が組み込まれている。
そのため、小物収納部６に対して小物７を差し込むと、その先端部で飛び出しバネ３９を圧縮するようになり、飛び出しバネ３９にバネ力が蓄えられた状態で弾性ストッパ３７が係合孔３８に係合するようになる。これにより小物７が小物収納部６に収納された状態が保持される。
【００２３】
小物７の取り出しは、係合孔３８内の弾性ストッパ３７を押しこむように操作するだけで、飛び出しバネ３９のバネ力を受けた小物７が、把持部１６を摘み易い程度まで飛び出させるようになるので、使用者はこの把持部１６を摘んで引き出せばよいことになる。このことから、キャップ体５において収納口部３０へ向けた面取り３１は不要となっており、外観的なスッキリ感が更に増している。
その他の構成及び作用効果は第１実施形態（図１乃至図３参照）と略同様である。なお、小物７の形状は、第１実施形態のようなヘラ状部分１５を有したものでも、第２実施形態のようなペン状部分３４を有したものでもよい。
【００２４】
図６は、本発明に係る小物収納部付き容器１の第４実施形態を示している。本第４実施形態は、キャップ体５が、殻体５０と覆い板５１とを有したものとなっている。
殻体５０は、容器本体２の口部３まわりを包囲する環状壁５２と、この環状壁５２の上部を閉鎖する中仕切り板５３とによって形成されている。また覆い板５１は、この殻体５０の中仕切り板５３上を覆うものとなっている。
要するに、本第４実施形態において、キャップ体５の天井部は、殻体５０の中仕切り板５３を覆い板５１が覆う上下二重構造とされているが、キャップ体５の周壁１１は殻体５０の環状壁５２自体で形成されていることになる。
【００２５】
そして、殻体５０の中仕切り板５３と覆い板５１との上下間に、小物７を収納可能な小物収納部６が形成され、殻体５０の環状壁５２に、小物収納部６に対して小物７を水平方向に出し入れ自在にする収納口部３０が形成されている。
本第４実施形態において、その他の構成及び作用効果は第１実施形態（図１乃至図３参照）と略同様である。
図７は、本発明に係る小物収納部付き容器１の第５実施形態を示している。本第５実施形態は、容器本体２の底部に対して小物収納部６が設けられたものである。
【００２６】
すなわち、容器本体２は、内容物の収納スペース２ａに面する中仕切り板５５と、この中仕切り板５５の外側（下側）を覆う覆い板５６とによって上下二重に形成されている。そして、これら中仕切り板５５と覆い板５６との上下間に小物収納部６が形成されている。
中仕切り板５５の外周部を取り囲むようにして環状壁５７が設けられ、この環状壁５７自体が容器本体２の周壁１０を形成するものとなっている。この環状壁５７に、収納口部３０が形成されている。
【００２７】
また、この環状壁５７の略全周を介して覆い板５６が連結されるものとなっている。
本第５実施形態において、その他の構成及び作用効果は第１実施形態（図１乃至図３参照）と略同様である。
図８乃至図１０は、本発明に係る小物収納部付き容器１の第６実施形態を示している。本第６実施形態は、基本的な構成及び作用効果は第１実施形態と略同様であるが、小物収納部６に対し、収納口部３０の片隅に揺動軸６０が立設され、この揺動軸６０まわりで小物７が水平揺動自在に連結されている点で、第１実施形態と異なっている。
【００２８】
小物７は、揺動軸６０まわりの水平揺動によって小物収納部６から出たり入ったりする。
なお、このように小物７がキャップ体５に連結されたまま、水平揺動する構造であることから、この小物７は皿状のものをはじめ、パレットや鏡などとして形成するのが好適となっている（図例では鏡としている）。小物７を皿状とする場合、ここに容器本体２の内容物とは別種の内容物を詰めることができるのは言うまでもない。
図１１は、本発明に係る小物収納部付き容器１の第７実施形態を示している。本第７実施形態は、上記した第６実施形態をベースとして、揺動軸６０に対して小物７を飛び出し方向へ付勢する飛び出しバネ６５を付加したものであり、その他の構成及び作用効果は第６実施形態と略同様である。
【００２９】
図１２は、本発明に係る小物収納部付き容器１の第８実施形態を示している。本第８実施形態において、基本的な構成及び作用効果は第１実施形態（図１乃至図３参照）と略同様であるが、小物７として、伸縮を伴って使用形体と収納形体とに変形可能に形成されたものを採用できるようにしている点が第１実施形態と異なり、この点に関して小物収納部６内に工夫がされている。
すなわち、小物７は、ヘラ状部分１５が設けられた部材と把持部１６が設けられた部材とが別体とされており、これらが伸縮自在に連結されている。縮めた全長Ｎはキャップ体５の外径Ｍより短く（当然に小物収納部６に収納可能な長さ）、伸ばした全長Ｌは、キャップ体５の外径Ｍよりも長くなるように形成されており（Ｎ＜Ｍ＜Ｌ）、この伸長状態は、互いの部材に設けられたフック部６７，６８が係合することで脱出不能に保持されるようになっている。
【００３０】
これに対して小物収納部６内には、小物７が収納口部３０内へ挿入されたときに、この小物７の先端（ヘラ状部分１５）に当接してそれ以上の差し込みを困難にさせる変形誘導部６９が形成されている。そのため、小物収納部６に小物７を差し込むだけで、小物７は伸びた使用状態から縮んだ収納状態へと伸縮変形を生じるようになる。
この変形誘導部６９は、具体的には小物収納部６の内部の対向位置で平面視半円形に突出して、小物７の両側縁部に適度に当接するようになっている。
なお、小物７の先端寄りとなる部分に、側縁部がくびれるような形状を採用し、小物収納部６から小物７を引き出すときにこのくびれ部分が変形誘導部６９に軽く引っ掛かり、その結果、小物７の引き出しと同時に伸長変形が生じるように工夫してある。
【００３１】
図１３は、本発明に係る小物収納部付き容器１の第９実施形態を示している。本第９実施形態も上記第８実施形態と同様に、基本的な構成及び作用効果は第１実施形態（図１乃至図３参照）と略同様である。
ただ、第８実施形態では伸縮変形する小物７を採用していたのに対し、本第９実施形態では、小物７として、屈曲を伴って使用形体と収納形体とに変形可能に形成されたものを採用できるようにしている。
すなわち、小物７は、ヘラ状部分１５が設けられた部材と把持部１６が設けられた部材とが別体とされており、これらが折曲軸７２を介して揺動自在に連結されている。従って、「く」字状に折曲させることでキャップ体５の平面内に収納できる大きさとなり、折曲前の真っ直ぐな形状に展開させることでキャップ体５の外径Ｍよりも長くなるように形成されている。
【００３２】
これに対して小物収納部６内には、小物７が収納口部３０内へ挿入されたときに、この小物７の先端（ヘラ状部分１５）に当接しながら挿入方向を横へ振らせるようにガイドする変形誘導部７３が形成されている。そのため、小物収納部６に小物７を差し込むだけで、小物７は真っ直ぐな使用状態から「く」字状に折曲した収納状態へと屈曲変形を生じるようになる。
この変形誘導部７３は、具体的には小物収納部６の奥方の壁をカムのように凹カーブさせたものとなっている。
【００３３】
なお、小物収納部６内において、変形誘導部７３と対向する側の壁面が凸カーブに形成されているため、小物収納部６から小物７を引き出すときに小物７の先端部がこの凸カーブで押し戻されるような作用を受けることになり、その結果、小物７の引き出しと同時に屈曲変形が戻されるように工夫してある。
ところで、本発明は、上記各実施形態に限定されるものではなく、実施の形態に応じて適宜変更可能である。
例えば、容器本体２やキャップ体５において、それらの形成素材や細部の形状などは何ら限定されるものではない。また容器本体２に収納する内容物についても、何ら限定されるものではない。
【図面の簡単な説明】
【００３４】
【図１】図３に対応する正面断面図である。
【図２】本発明に係る小物収納部付き容器の第１実施形態を示した斜視図である。
【図３】図２に対応する平面図である。
【図４】本発明に係る小物収納部付き容器の第２実施形態を示した正面断面図である。
【図５】本発明に係る小物収納部付き容器の第３実施形態を示した正面断面図である。
【図６】本発明に係る小物収納部付き容器の第４実施形態を示した正面断面図である。
【図７】本発明に係る小物収納部付き容器の第５実施形態を示した正面断面図である。
【図８】第６実施形態（図１０）の小物収納部付き容器を示した正面断面図である。
【図９】本発明に係る小物収納部付き容器の第６実施形態を示した斜視図である。
【図１０】図９に対応する平面図である。
【図１１】本発明に係る小物収納部付き容器の第７実施形態を示した平面図である。
【図１２】本発明に係る小物収納部付き容器の第８実施形態について小物収納部内が現れるように示した平面断面図であって（Ａ）は小物の収納状態であり（Ｂ）小物の引き出しの途中であり（Ｃ）は小物の引き出し後である。
【図１３】本発明に係る小物収納部付き容器の第９実施形態について小物収納部内が現れるように示した平面断面図であって（Ａ）は小物の収納状態であり（Ｂ）小物の引き出しの途中であり（Ｃ）は小物の引き出し後である。
【符号の説明】
【００３５】
１    小物収納部付き容器
２    容器本体
２ａ    収納スペース
３    口部
５    キャップ体
６    小物収納部
７    小物
２０    内殻体
２１    外殻体
２３，５２，５７    環状壁
２４，５３，５５    中仕切り板
２５    外部環状壁
２６，５１，５６    覆い板
３０    収納口部
５０    殻体
５２    環状壁
６０    揺動軸
６９，７３    変形誘導部
【図１】
2009067411.tif 000003
【図２】
2009067411.tif 000004
【図３】
2009067411.tif 000005
【図４】
2009067411.tif 000006
【図５】
2009067411.tif 000007
【図６】
2009067411.tif 000008
【図７】
2009067411.tif 000009
【図８】
2009067411.tif 000010
【図９】
2009067411.tif 000011
【図１０】
2009067411.tif 000012
【図１１】
2009067411.tif 000013
【図１２】
2009067411.tif 000014
【図１３】
2009067411.tif 000015